(57)【要約】　　　（修正有）【課題】成形樹脂材料と加飾フィルムを一体に成形する射出成形によってつくられた透明部を有する容器及び容器用蓋であって、例えば蓋を閉じた状態でも容器の内部に収容されているものを見ることができる従来にない斬新な容器及び容器用蓋を提供する。【解決手段】重箱容器Ａは、箱状の本体１と蓋体２により構成されている。蓋体２は、成形樹脂材料でつくられる基体２０と絵柄フィルムを一体に成形する射出成形によってつくられており、透明部Ｓを有する。絵柄フィルムには絵柄２２が印刷されており、絵柄２２は扇絵柄２２１、紐絵柄２２２、笹絵柄２２３により構成されている。扇絵柄２２１の各骨部の間の部分は、何も印刷されていない。透明部Ｓは、絵柄フィルムの印刷されていない部分と、透明な基体２０が重なった部分に形成されている。【選択図】　　　　図１
2004018104.tif 000002
【特許請求の範囲】
【請求項１】
成形樹脂材料と加飾フィルムを一体に成形する射出成形によってつくられており、透明部を有する容器であって、
透明部は、成形樹脂材料で成形された透明な基体と、基体の表面に設けられており絵柄や模様が印刷された加飾フィルムの透明な部分が重なった部分で構成されていることを特徴とする、
透明部を有する容器。
【請求項２】
上部が開口した箱状の容器本体と、
容器本体の開口部に着脱可能で開口部を閉塞する蓋体と、
を備えており、
少なくとも蓋体は成形樹脂材料と加飾フィルムを一体に成形する射出成形によってつくられており、
蓋体は透明部を有し、透明部は、成形樹脂材料で成形された透明な基体と、基体の表面に設けられており絵柄や模様が印刷された加飾フィルムの透明な部分が重なった部分で構成されていることを特徴とする、
透明部を有する容器。
【請求項３】
容器に使用する蓋であって
蓋は成形樹脂材料と加飾フィルムを一体に成形する射出成形によってつくられており、
蓋は透明部を有し、透明部は、成形樹脂材料で成形された透明な基体と、基体の表面に設けられており絵柄や模様が印刷された加飾フィルムの透明な部分が重なった部分で構成されていることを特徴とする、
容器用蓋。
【発明の詳細な説明】
【０００１】
【発明の属する技術分野】
本発明は透明部を有する容器に関するものである。更に詳しくは、成形樹脂材料と加飾フィルムを一体に成形する射出成形によってつくられた透明部を有する容器及び容器用蓋であって、例えば蓋を閉じた状態でも容器の内部に収容されているものを見ることができる従来にない斬新な容器及び容器用蓋に関する。
【０００２】
【従来技術】
例えば、正月のおせち料理や花見の宴会用等として、容器に他種類の料理を詰め合わせたものが店頭で販売されている。このような容器は、繰り返し長期にわたり使用するものではなく、いわゆる使い捨て用で簡易的な構造のものが多い。また、上記容器には実に様々な形態のものがあり、価格や用途に合わせて適宜選択されている。
【０００３】
その中でも比較的高価格で高級な料理用として重箱容器が使用されている。重箱容器は、上部が開口した箱状の本体と、開口部を閉塞する着脱可能な蓋体で構成されている。従来の重箱容器は、普通は漆に似せて黒く着色された合成樹脂で成形されており、表面には各種絵柄が印刷によって設けられている。つまり、重箱容器の本体も蓋体も不透明体であり、蓋を閉めたままで、内部に詰めてある料理を見ることができるようにはなっていない。
【０００４】
【発明が解決しようとする課題】
しかしながら、上記した従来の重箱容器には、次のような課題があった。
蓋体を閉めたままでは、内部に詰めてある料理を見ることができないので、店頭に並べるときに見映えがしない。このため、料理が見えるように蓋体を外した状態で、衛生上、本体にラップフィルムをかけて並べる場合もあるが、ラップフィルムがかけてあったのでは特に料理が比較的高級なものの場合、その高級感が台無しになる。
【０００５】
（本発明の目的）
本発明の目的は、成形樹脂材料と加飾フィルムを一体に成形する射出成形によってつくられた透明部を有する容器及び容器用蓋であって、例えば蓋を閉じた状態でも容器の内部に収容されているものを見ることができる従来にない斬新な容器及び容器用蓋を提供することである。
【０００６】
【課題を解決するための手段】
上記課題を解決するために講じた本発明の手段は次のとおりである。
第１の発明にあっては、
成形樹脂材料と加飾フィルムを一体に成形する射出成形によってつくられており、透明部を有する容器であって、
透明部は、成形樹脂材料で成形された透明な基体と、基体の表面に設けられており絵柄や模様が印刷された加飾フィルムの透明な部分が重なった部分で構成されていることを特徴とする、
透明部を有する容器である。
【０００７】
第２の発明にあっては、
上部が開口した箱状の容器本体と、
容器本体の開口部に着脱可能で開口部を閉塞する蓋体と、
を備えており、
少なくとも蓋体は成形樹脂材料と加飾フィルムを一体に成形する射出成形によってつくられており、
蓋体は透明部を有し、透明部は、成形樹脂材料で成形された透明な基体と、基体の表面に設けられており絵柄や模様が印刷された加飾フィルムの透明な部分が重なった部分で構成されていることを特徴とする、
透明部を有する容器である。
【０００８】
第３の発明にあっては、
容器に使用する蓋であって
蓋は成形樹脂材料と加飾フィルムを一体に成形する射出成形によってつくられており、
蓋は透明部を有し、透明部は、成形樹脂材料で成形された透明な基体と、基体の表面に設けられており絵柄や模様が印刷された加飾フィルムの透明な部分が重なった部分で構成されていることを特徴とする、
容器用蓋である。
【０００９】
本明細書にいう容器とは、例えば蓋付きの容器や、皿状の容器等、容器そのものあるいは容器を構成する部品（蓋付きの容器の場合では、蓋体）が比較的浅い（平たい）形状のものを含むものである。このように比較的浅い形状のもの（成形品）は、表面に加飾フィルムを設ける射出成形により成形が可能である。また、本明細書にいうフィルムとは、シートも含む概念で使用している。
【００１０】
（作用）
本発明に係る透明部を有する容器は次のように作用する。
透明部を有する容器は、例えば蓋体等、容器の一部に設けられている透明部を通して、内部に収容されている料理等を外側から見ることができる。
これにより、例えば重箱容器等の容器に各種料理を詰めて、おせち料理や宴会用の料理として店頭に並べて販売する場合、蓋体を閉じたままでも料理が見えるので、見映えがする。これによって、従来のようにラップフィルムを掛ける必要もなく、料理の高級感が台無しになることもない。
【００１１】
また、透明部は、蓋体を構成する透明な基体と、基体の表面に設けられており絵柄や模様等が印刷された加飾フィルムの透明な部分が重なった部分で構成されているので、透明部を外側から見たときに、光の屈折によって基体の内面に絵柄の縁部が映り込む。これによると、その映った影の部分が外面側の絵柄の縁部と、基体の厚みの分だけずれて二重になるように見えるので、絵柄に立体感が生まれる。
【００１２】
【発明の実施の形態】
本発明を図面に示した実施の形態に基づき更に詳細に説明する。
図１は本発明に係る重箱の実施の形態を示す斜視図、
図２は図１に示す重箱の蓋に設けられている透明部分の斜視説明図、
図３は図１に示す重箱を構成する本体と蓋体の要部断面図である。
【００１３】
透明部を有する容器である重箱容器Ａは、本体１と蓋体２により構成されている。本体１と蓋体２は、それぞれ合成樹脂でつくられている。
本体１は、平面視正方形で、上部が開口した箱状に形成されている。本体１は、黒色に着色された合成樹脂を射出成形により成形したものであり、全体が不透明に形成されている。
【００１４】
蓋体２は、基体２０と、基体２０の表面（蓋として使用したときに上面となる側）に張設されている（一体に設けられている）加飾フィルムである絵柄フィルム２１により構成されている。絵柄フィルム２１の印刷面は、基体２０との接着側である。
基体２０は、透明な合成樹脂（本実施の形態ではポリスチレンであるが、これに限定するものではなく、例えばポリエチレン、ポリプロピレン、ポリエステル、ポリ塩化ビニル等、他の合成樹脂を使用することもできる）を射出成形により成形したものであり、この成形は絵柄フィルム２の張設（表面に設けること）と同時に行われる。蓋体２の製造方法については、後でその概略を説明する。
【００１５】
基体２０は、正方形状の閉塞板２０１と、閉塞板の下面側に各辺部よりやや内側に全周にわたり設けてある嵌合条部２０２を備えている。閉塞板２０１は、上面の外周縁部が、一定の幅でやや薄く形成されている。
なお、閉塞板２０１の外周面（厚みの面）２００は、絵柄フィルム２が張設されていない。また、嵌合条部２０２は、上記本体１の開口部１０に内嵌めできるようにしてある（図３参照）。
【００１６】
絵柄フィルム２１は、合成樹脂製のベースフィルム（本実施の形態では基体２０と馴染みやすいポリスチレンであるが、これに限定されるものではなく、例えばポリエチレン、ポリプロピレン、ポリエステル、ポリ塩化ビニル等、他の合成樹脂を使用することもできる）が透明であり、ベースフィルムの片側の表面に印刷によって絵柄２２を設けたものである。絵柄２２は、扇絵柄２２１、紐絵柄２２２、笹絵柄２２３により構成されている。
このうち、扇絵柄２２１の各骨部２２１ａの間の部分は、何も印刷されていない無印刷部Ｃとなっており、その他の部分は不透明な印刷部Ｂとなっている。透明部Ｓは、絵柄フィルム２１の無印刷部Ｃと、透明な基体２０が重なった部分に形成されている。
【００１７】
図４は本発明に係る重箱容器の蓋体を製造する方法を示す概略説明図である。
重箱容器Ａの蓋体２は、次のようにして製造される。
（１）射出成形機Ｉ（一般的構造のものを使用するので、可動型を動かす機構部や射出装置等、付帯装置の大部分の図示及び説明を省略した）のフィルムロールＲから絵柄フィルム２１を繰り出し、送りローラ５、５ａで挟むようにして垂下方向へ送り出す。なお、フィルムロールＲは、絵柄フィルム２１が絵柄２２を印刷した面が内側になるよう巻き取られている。
【００１８】
（２）垂直状態になっている絵柄フィルム２１の表裏両面側には、やや間隔をもって、可動型３と固定型４が設けてある。可動型３には蓋体２の上面側を成形する型部３１を有し、イジェクターピン３０を備えている。また、固定型４は蓋体２の下面側を成形する型部４１を有し、射出部４０を備えている。
そして、可動型３を固定型４の方向へ移動させ、絵柄フィルム２１を間に挟むようにして可動型３と固定型４の型部３１、４１を合わせる。
【００１９】
（３）固定型４の射出部４０から型部４１、３１内に液状の成形材料（透明な合成樹脂材料）を射出し、成形品である蓋体２を成形する。これにより、絵柄フィルム２１は成形材料の圧力で型部３１内面に密着して基体２０と一体となって成形される。
（４）可動型３を移動させて固定型４から離し、イジェクターピン３０で蓋体２を型部３１から脱型させる。蓋体２は、その重さにより、垂下している絵柄フィルム２１に一定の張力を付与している。
【００２０】
（５）送りローラ５、５ａで絵柄フィルム２１を垂下方向へ送り出し、上記（２）と同様に可動型３と固定型４の型部３１、４１を合わせて蓋体２の成形を行う。この後、下方に下がっている前工程で成形した蓋体２を絵柄フィルム２１を切断して切り離す。
このように、絵柄フィルム２１の送り出しと、蓋体２の成形及び切り離しを繰り返して、蓋体２を連続して製造することができる。
【００２１】
（作　用）
図１ないし図３を参照して、本実施の形態に係る重箱容器Ａの作用を説明する。
重箱容器Ａは、蓋体２に設けられている透明部Ｓを通して、内部に収容されている料理等を外側から見ることができる。
これにより、重箱容器Ａに各種料理を詰めて、おせち料理や宴会用の料理として店頭に並べて販売する場合、蓋体２を閉じたままでも料理が見えるので、衛生的であるばかりでなく、見映えがする。これによって、従来のようにラップフィルムを掛ける必要もなく、料理の高級感が台無しになることもない。
【００２２】
また、透明部Ｓは、蓋体２を構成する透明な基体２０と、基体２０の表面に設けられており絵柄が印刷された絵柄フィルム２１の無印刷部Ｃが重なった部分で構成されているので、透明部Ｓを外側から見たときに、光の屈折によって基体２０の内面に扇絵柄２２１の骨部２２１ａが映り込む。これによると、その映った影部２２１ｂが外面側の骨部２２１ａと、基体２０の厚み（本実施の形態では、約２ｍｍ）の分だけずれて二重になるように見えて（図２参照）、あたかも骨部２２１ａの厚みが表れているように見える。
従って、扇絵柄２２１、ひいては絵柄２２に立体感が生まれるので、この点でも見映えがする。なお、基体２０の厚みが厚くなると、骨部２２１ａと影部２２１ｂのずれもより大きくなり、立体感が増す。
【００２３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００２４】
【発明の効果】
本発明は上記構成を備え、次の効果を有する。
（ａ）透明部を有する容器は、例えば蓋体等、容器の一部に設けられている透明部を通して、内部に収容されている料理等を外側から見ることができる。
これにより、例えば重箱容器等の容器に各種料理を詰めて、おせち料理や宴会用の料理として店頭に並べて販売する場合、蓋体を閉じたままでも料理が見えるので、衛生的であるばかりでなく見映えがする。これによって、従来のようにラップフィルムを掛ける必要もなく、料理の高級感が台無しになることもない。
【００２５】
（ｂ）透明部は、蓋体を構成する透明な基体と、基体の表面に設けられており絵柄や模様等が印刷された加飾フィルムの透明な部分が重なった部分で構成されているので、透明部を外側から見たときに、光の屈折によって基体の内面に絵柄の縁部が映り込む。これによると、その映った影の部分が外面側の絵柄の縁部と、基体の厚みの分だけずれて二重になるように見えるので、絵柄に立体感が生まれ、この点でも見映えがする。
【図面の簡単な説明】
【図１】本発明に係る重箱容器の実施の形態を示す斜視図。
【図２】図１に示す重箱容器の蓋に設けられている透明部分の斜視説明図。
【図３】図１に示す重箱容器を構成する本体と蓋体の要部断面図
【図４】本発明に係る重箱容器の蓋体を製造する方法を示す概略説明図。
【符号の説明】
Ａ　重箱容器
１　本体
２　蓋体
２０　基体
２００　外周面
２０１　閉塞板
２０２　嵌合条部
２１　絵柄フィルム
２２　絵柄
２２１　扇絵柄
２２１ａ　骨部
２２１ｂ　影部
２２２　紐絵柄
２２３　笹絵柄
Ｓ　透明部
Ｂ　印刷部
Ｃ　無印刷部
Ｉ　射出成形機
Ｒ　フィルムロール
３　可動型
３０　イジェクターピン
３１　型部
４　固定型
４０　射出部
４１　型部
５、５ａ　送りローラ
【図１】
2004018104.tif 000003
【図２】
2004018104.tif 000004
【図３】
2004018104.tif 000005
【図４】
2004018104.tif 000006
【手続補正書】
【提出日】平成14年9月24日(2002.9.24)
【手続補正１】
【補正対象書類名】図面
【補正対象項目名】全図
【補正方法】変更
【補正の内容】
【図１】
2004018104.tif 000007
【図２】
2004018104.tif 000008
【図３】
2004018104.tif 000009
【図４】
2004018104.tif 000010